【手続補正書】
【提出日】平成17年11月7日(2005.11.7)
【手続補正１】
【補正対象書類名】明細書
【補正対象項目名】０００３
【補正方法】変更
【補正の内容】
【０００３】
【発明が解決しようとする課題】
しかしながら、前記オフセット積載の実施の形態として、スタックトレイ自身がシフトするタイプにおいては、スタックトレイ上での積載容量が少数であれば有効であったが、近年の大容量化、多数枚処理においては、スタックトレイをシフトするための負荷が増大し、また、シート束の積載状態を維持させるためにも、束のくずれや、落下等の視点で、更なる改良が望まれている。
【手続補正２】
【補正対象書類名】明細書
【補正対象項目名】００１４
【補正方法】変更
【補正の内容】
【００１４】
（ａ）、第１の積載トレイにおけるシート束の整合位置は同じにし、シート束の整合終了後、整合方向へシート束を束シフトした後、第２の積載トレイへ束搬送する束と、束シフトせずに束搬送する束と、を交互に行うことにより、第２の積載手段へのオフセット積載を可能にしつつ、シート束の整合性の悪化も防止される。
【手続補正３】
【補正対象書類名】明細書
【補正対象項目名】００１５
【補正方法】変更
【補正の内容】
【００１５】
（ｂ）、（ａ）と同様に、シート束の整合終了後、針綴じ等の処理動作を行った後に、束シフトする束と、束シフトしない束と、を交互に束搬送し、スタックトレイ上にオフセット積載する。
【手続補正４】
【補正対象書類名】明細書
【補正対象項目名】００１６
【補正方法】変更
【補正の内容】
【００１６】
（ｃ）、（ｂ）と同様、若しくは、束シフト後に処理動作を行った束と、束シフトせずに、処理動作を行った束と、を交互に束搬送し、スタックトレイ上にオフセット積載する。
【手続補正５】
【補正対象書類名】明細書
【補正対象項目名】００１７
【補正方法】変更
【補正の内容】
【００１７】
（ｄ）、整合手段が束シフト手段を兼ねることにより、より安価な装置の構成を提供できる。
【手続補正６】
【補正対象書類名】明細書
【補正対象項目名】００２４
【補正方法】変更
【補正の内容】
【００２４】
リーダ部２００’は、原稿Ｐに記録された画像情報を光学的に読み取り、光電変換して画像データとして入力するものであり、プラテン３と、ランプ２０２、ミラー２０３とを有するスキャナーユニット２０４と、ミラー２０３ａ、レンズ２０５ａ、イメージセンサ２０５ｂ等とを有している。プリンタ部３００は、周知の静電潜像画像形成を用いた画像形成手段である。
【手続補正７】
【補正対象書類名】明細書
【補正対象項目名】００２７
【補正方法】変更
【補正の内容】
【００２７】
８１２は感光ドラム、８１４は現像器、８１５は転写帯電器、８１６は分離帯電器であり、画像形成部を構成する。
【手続補正８】
【補正対象書類名】明細書
【補正対象項目名】００２９
【補正方法】変更
【補正の内容】
【００２９】
プラテン上に配置された１枚の原稿に対して、設定されたコピー枚数に応じて、感光ドラム８１２上に像が形成され、コピー枚数分のシート材がカセット８００、８０２、デッキ８０８のいずれかから、画像が感光ドラムに形成される毎に給送される。感光ドラム８１２上の像とシート材の位置合わせは、レジストローラ８０６によって行われる。
【手続補正９】
【補正対象書類名】明細書
【補正対象項目名】００３１
【補正方法】変更
【補正の内容】
【００３１】
９００は中間トレイであって、シート材の両面に像を形成する場合、あるいはシート材の片面に重ねて像を形成する（多重）場合に、一度、画像が形成されたシート材を中間トレイ９００へストックする。９０１は搬送ローラ、９０２は搬送ベルト、９０３はフラッパ、９０４は搬送ベルト、９０５は搬送ローラである。両面コピーの場合にはパス９０６を通って中間トレイ９００にシート材を導く。
【手続補正１０】
【補正対象書類名】明細書
【補正対象項目名】００３３
【補正方法】変更
【補正の内容】
【００３３】
中間トレイ９００に積載されたシート材は、補助ローラ９０９、９１０、正逆転分離ローラ対９１１の作用によって下方から１枚ずつ分離されて再給送される。再給送されたシート材は搬送ローラ９１３、９１４、９１５及びローラ８１０、レジストローラ８０６を介して画像形成部へ導かれる。画像形成後は、前述と同様に排出される。
【手続補正１１】
【補正対象書類名】明細書
【補正対象項目名】００７５
【補正方法】変更
【補正の内容】
【００７５】
揺動ガイド１５０は、先に述べたように下流側（図５の左側）に対応する下面前端部にあって、前記束排出ローラ対１８０の下部排出ローラ１８０ａに当接する上部排出ローラ１８０ｂを枢着すると共に、上流側（図５の右側）に対応する下面後端部の支持軸１５１で枢支して揺動自在に支持されており、駆動モータＭｌ５０による回転カム１５２の制御駆動で揺動可能にされると共に、ここでは、下部排出ローラ１８０ａに上部排出ローラ１８０ｂを当接させた閉口状態がホームポジションとされ、これを検知する不図示の位置センサが設けられる。
【手続補正１２】
【補正対象書類名】明細書
【補正対象項目名】００８３
【補正方法】変更
【補正の内容】
【００８３】
すなわち、前記シート処理装置１の両端部には、１対のフレーム２５０，２５０が上下方向に設けられると共に、該フレーム２５０，２５０に対してそれぞれに上下方向のガイドレール部を兼ねるラックギア部材２５１，２５１が取り付けられており、前記トレイベースプレート２０２の一方（シート幅方向を基準にして左端側に対応）から延長された後端部と、これに対向（同様に右端側に対応）する取付け枠板２０４から延長された後端部とにそれぞれ回転自在に設けられている１対のガイドコロ２０６を用い、該各ガイドコロ２０６を対応する各ガイドレール部内に嵌挿させることで、前記スタックトレイ２００を上下に昇降可能に保持させ、かつ一方のフレーム２５０の折り返された端縁に規制部材２０８ａを係合させることで、シート幅方向のガタつきを拘束して規制するようにしている。
【手続補正１３】
【補正対象書類名】明細書
【補正対象項目名】００８４
【補正方法】変更
【補正の内容】
【００８４】
一方、ステッピングモータＭ２００の回転出力は、タイミングベルト２１１を介して駆動軸２１３のプーリ２１２に伝達される。そして、駆動軸２１３には、ばね２１６で付勢されて軸方向に摺動のみ可能にしたラチエットホイール２１５が設けられており、該ラチエットホイール２１５は、軸上の駆動ギア２１４に一方向係合させてある。また、駆動ギア２１４に対しては、従動軸２０８上の両端部に配したアイドラギア２０７，２０７の一方が噛合され、かつ該各アイドラギア２０７，２０７は、それぞれに昇降ギア２０９，２０９を介して前記ラックギア部材２５１，２５１に噛合させる。つまり、前記スタックトレイ２００は、これらのギアトレーンからなる駆動系を介して上下方向に昇降自在にされる。
【手続補正１４】
【補正対象書類名】明細書
【補正対象項目名】００８５
【補正方法】変更
【補正の内容】
【００８５】
また、前記駆動軸２１３上の駆動ギア２１４に一方向付勢係合されるラチエットホイール２１５は、前記スタックトレイ２００の下降時にあって、例えば、異物等を挟んで駆動系が破損したりすることのないように設けられるもので、ここでは、ばね２１６に所要程度の付勢力を付与しておき、該スタックトレイ２００の上昇時においてのみ、あらかじめ設定されている条件対応にばね２１６の付勢力に抗し空回りすることで防護するようになっており、この空回り状況、つまり異常が発生した場合には、直ちにステッピングモータＭ２００の駆動を停止させるべく、アイドラギア２０７，２０７のフランジ部に形成したクロックスリット等をセンサＳ２０１によって検出させるようになっている。なお、センサＳ２０１に関しては、通常動作時における脱調検知のためにも用いられる。
【手続補正１５】
【補正対象書類名】明細書
【補正対象項目名】００９５
【補正方法】変更
【補正の内容】
【００９５】
〈ノンソートモード時のシートＰの流れ〉
ユーザが、画像形成装置の排紙モードの設定をノンソートに指定したときは、図１０に示されているように、シート処理装置１の第１切替えフラッパ１１がノンソートパス２１側にシートＰを受け入れるべく切り替えられており、この状態で、入口ローラ対２、第１搬送ローラ対３、及びバッファローラ５がそれぞれに回転駆動され、画像形成装置３００から排出されてくるシートＰを装置内に取り込んでノンソートパス２１に向けて搬送する。そして、ノンソートパスセンサ３３によってシートＰの後端が検知されると、第２排出ローラ対９は、積載に適した速度で回転駆動され、サンプルトレイ２０１上にシートＰを排出して積載させる。
【手続補正１６】
【補正対象書類名】明細書
【補正対象項目名】００９６
【補正方法】変更
【補正の内容】
【００９６】
〈ステイプルソートモード時のシートＰの流れ〉
ユーザが、画像形成装置の排紙モードの設定をステイプルソートに指定したときは、図１１に示されているように、シート処理装置１の第１切替えフラッパ１１、及び第２切替えフラッパ１０がソートパス２２側にシートＰを受け入れるべく切り替えられており、この状態で、入口ローラ対２、第１搬送ローラ対３、及びバッファローラ５がそれぞれに回転駆動され、画像形成装置３００から排出されてくるシートＰを装置内に取り込んでソートパス２２に向けて搬送する。そして、シートＰの後端が最終段のコロ１４を抜けたところで、第１排出ローラ対７を構成する排出ローラ７ａのローレットベルト８及びコロ７ｂによって処理トレイ１３０上に排出される。この場合、揺動ガイド１５０が上方に開くことで束排出ローラ対１８０の下部排出ローラ１８０ａに対して上部排出ローラ１０８ｂが離間されており、かつ出没トレイ１７０が突出位置に突き出されているので、このように第１排出ローラ対７によってシートＰを処理トレイ１３０上に排出させても、シートＰの先端部の垂れ下がり、及び次に述べる戻り不良等を生じたりせず、該処理トレイ１３０上でのシートＰの整列性が良好に高められる。
【手続補正１７】
【補正対象書類名】明細書
【補正対象項目名】００９８
【補正方法】変更
【補正の内容】
【００９８】
一方、その間に、画像形成装置３００から排出されてくるシートＰは、図１２に示すように、第２切替えフラッパ１０の切り替え作動でバッファローラ５に巻き付けられ、バッファパスセンサ３２から所定距離だけ進んだところで、該バッファローラ５の停止で待機しており、次のシートＰの先端が入口センサ３１から所定距離だけ進んだ地点で、図１３に示すように、バッファローラ５の回転に伴い、１枚目のシートＰ１よりも２枚目のシートＰ２の方が所定長さだけ先行して重ねあわされた状態で、図１４に示すように、再びバッファローラ５に巻き付けるもので、さらに、３枚目のシートＰ３についても同様にバッファローラ５に巻き付けるのであり、その後、図１５に示すように、第２切替えフラッパ１０を再切り替えして、このように先端を所定長さずつずらせて重ねあわせた３枚のシートＰ１，Ｐ２，Ｐ３をソートパス２２に搬送させる。
【手続補正１８】
【補正対象書類名】明細書
【補正対象項目名】００９９
【補正方法】変更
【補正の内容】
【００９９】
この時点で、前記シート束の束排出動作は終了しており、ここでは、図１６に示すように、揺動ガイド１５０が閉じられたまま、排出方向に正転している束排出ローラ対１８０ａ，１８０ｂが前記搬送されてくる３枚のシートＰ１，Ｐ２，Ｐ３を一旦、受け取る。そして、図１７に示すように、３枚のシートＰの終端が第１排出ローラ対７ａ，７ｂを抜けて処理トレイ１３０面上に接した時点において、束排出ローラ対１８０ａ，１８０ｂが逆転して迎え入れた３枚のシートＰを戻すようにすると共に、該３枚のシートＰの終端が後端ストッパ１３１面に突き当てられる以前、例えば、図１８(ｂ)に示すように、相互にずれ間隔ｂ，ｂをもつ３枚のシートＰの終端と後端ストッパ１３１面との間に間隔ａを残して接近した時点で、図１８(ａ)に示すように、揺動ガイド１５０を開いて束排出ローラ対１８０ａ，１８０ｂ間を離間させる。そして、４枚目以降のシートＰは、１部目の動作と同様にソートパス２２を通って処理トレイ１３０上に排出される。３部目以降は、２部目と同じ動作を繰り返し、設定部数分相当にスタックトレイ２００上に積載して処理を終了する。
【手続補正１９】
【補正対象書類名】明細書
【補正対象項目名】０１０１
【補正方法】変更
【補正の内容】
【０１０１】
〈ソートモードの説明〉
ユーザが、画像形成装置３００の原稿読取り部４００に原稿をセットした後、不図示の操作部上でソートモードを指定し、かつ不図示のスタートキーをオンする。これによって、入口ローラ対２及び第１搬送ローラ対３は、図１９に示すように、ステイプルソートモードの場合と同様にシートＰを搬送して処理トレイ１３０上に積載する。整合手段１４０は、該処理トレイ１３０上のシート束を整合しながら、処理トレイ１３０上で少数枚を積載した後、図２０に示すように、揺動ガイド１５０が閉じ方向に降りてきて、該少数枚のシート束を束搬送する。
【手続補正２０】
【補正対象書類名】明細書
【補正対象項目名】０１０３
【補正方法】変更
【補正の内容】
【０１０３】
よって、プログラムを組むときに束排出する枚数を５枚に設定したならば、原稿枚数が４枚のときは４枚ずつ束排出する。また、原稿枚数が５枚以上の場合、例えば、１４枚であったならば、５枚＋５枚＋４枚に分けて、それぞれに整合しかつ束排出する。
【手続補正２１】
【補正対象書類名】明細書
【補正対象項目名】０１０４
【補正方法】変更
【補正の内容】
【０１０４】
１部目の束排出が全て終了したならば、左方側の整合部材１４１は、右方側の整合部材１４２と共に移動し、２部目の整合位置を一部目の整合位置に対してオフセットさせる（この動作の詳細については後述する）。２部目は、オフセットした位置で整合され、かつ１部目と同様に少数枚ずつ束排出される。２部目が終了したならば、各整合部材１４１，１４２は、先の１部目を整合した位置に戻って３部目を整合する。このようにして、図２１に示すように、シート束の相互をずらせながら全ての設定部数を終了させる。
【手続補正２２】
【補正対象書類名】明細書
【補正対象項目名】０１０５
【補正方法】変更
【補正の内容】
【０１０５】
〈整合及びステイプル動作の説明〉
先ず、処理トレイ１３０上にシートＰが１枚も無い場合、つまり、そのジョブの最初のシートＰ（３枚）が排出される際には、図２２に示すように、ホームポジションで待機していた左方、右方の各整合部材１４１，１４２は、事前にそれぞれ排出されるシートＰの幅に対して若干外側に逃げた位置ＰＳ１１，ＰＳ２１に移動させておく。
【手続補正２３】
【補正対象書類名】明細書
【補正対象項目名】０１０６
【補正方法】変更
【補正の内容】
【０１０６】
上述の如く、３枚のシートＰは、後端が後端ストッパ１３１、下面が各整合部材１４１，１４２の支持面１４１ｃ，１４２ｃでそれぞれに支持されると、図２３に示すように、各整合部材１４１，１４２は、位置ＰＳ１２，ＰＳ２２に移動して、シートＰを第１整合位置１９０に移動かつ整合させる。その後、一方の整合部材１４１は、続いて排出されるシートＰに備えて位置ＰＳ１１に戻って待機し、シート排出がなされると、再び位置ＰＳ１２に移動して、該排出されたシートＰを第１整合位置１９０に移動かつ整合させる。
【手続補正２４】
【補正対象書類名】明細書
【補正対象項目名】０１０７
【補正方法】変更
【補正の内容】
【０１０７】
このとき、他方の整合部材１４２は、位置ＰＳ２２で停止し続けることで、基準位置としての役割りを果す。以上の動作が、その束の最終シートＰに至るまで続けられる。従って、このように整合動作がなされるために、例えば、図２４に示すような移動中のシートＰの端部が、支持面１４２ｃの端部等に衝接して座屈を生じたりすることはない。
【手続補正２５】
【補正対象書類名】明細書
【補正対象項目名】０１０９
【補正方法】変更
【補正の内容】
【０１０９】
続いて、２部目のシートＰ（３枚）が処理トレイ１３０に排出されるが、このとき、各整合部材１４１，１４２は、１部目と同様に位置ＰＳ１１，ＰＳ２１で待機してはいても、その整合位置は第２整合位置１９１に移る。この第２整合位置１９１は、図２５に示すように、第１整合位置１９０に対して所定量Ｌだけ右方に位置する。
【手続補正２６】
【補正対象書類名】図面
【補正対象項目名】図１
【補正方法】変更
【補正の内容】
【図１】
2000143082.tif 000001
【手続補正２７】
【補正対象書類名】図面
【補正対象項目名】図８
【補正方法】変更
【補正の内容】
【図８】
2000143082.tif 000002
【手続補正２８】
【補正対象書類名】図面
【補正対象項目名】図９
【補正方法】変更
【補正の内容】
【図９】
2000143082.tif 000003
【手続補正２９】
【補正対象書類名】図面
【補正対象項目名】図２６
【補正方法】変更
【補正の内容】
【図２６】
2000143082.tif 000004